(57)【要約】【課題】アンテナケーブルだけでなく、電源ケーブルも不要にして、壁面に密着するように設置することができるテレビチューナーを得ることを目的とする。【解決手段】電源プラグ６及びアンテナプラグ７の位置が上下にスライド自在に筐体の背面部５に取り付けられているように構成する。これにより、電源差込口２とアンテナ差込口３の垂直方向の間隔ｂが一定ではない各種のコンセント１に対して、電源プラグ６及びアンテナプラグ７を差し込むことができるようになる。【選択図】図１
2011019100.tif 000002
【特許請求の範囲】
【請求項１】
電源差込口に差し込まれる電源プラグから電力の供給を受けて、アンテナ差込口に差し込まれるアンテナプラグから放送波の電気信号を受信し、上記放送波の電気信号から所望のチャンネルのテレビ信号を選局するチューナー部と、上記電源プラグから電力の供給を受けて、上記チューナー部により選局されたテレビ信号を映像表示用のモニタ装置に無線送信する無線送信部とを備えたテレビチューナーにおいて、上記電源プラグ及び上記アンテナプラグが筐体の背面部に取り付けられていることを特徴とするテレビチューナー。
【請求項２】
電源プラグ及びアンテナプラグの位置が調整自在に筐体の背面部に取り付けられていることを特徴とする請求項１記載のテレビチューナー。
【請求項３】
電源差込口に差し込まれる電源プラグから電力の供給を受けて、アンテナ差込口に差し込まれるアンテナプラグから放送波の電気信号を受信し、上記放送波の電気信号から所望のチャンネルのテレビ信号を選局するチューナー部と、上記電源プラグから電力の供給を受けて、上記チューナー部により選局されたテレビ信号を映像表示用のモニタ装置に無線送信する無線送信部とを備えたテレビチューナーにおいて、上記電源プラグが筐体の背面部の所定の位置に取り付けられている一方、上記アンテナプラグが上記筐体の背面部に取り付けられず、上記チューナー部と位置調整用のケーブルを介して接続されることで、上記アンテナプラグが上記背面部の任意の位置で上記アンテナ差込口に差し込まれることを特徴とするテレビチューナー。
【請求項４】
電源差込口に差し込まれる電源プラグから電力の供給を受けて、アンテナ差込口に差し込まれるアンテナプラグから放送波の電気信号を受信し、上記放送波の電気信号から所望のチャンネルのテレビ信号を選局するチューナー部と、上記電源プラグから電力の供給を受けて、上記チューナー部により選局されたテレビ信号を映像表示用のモニタ装置に無線送信する無線送信部とを備えたテレビチューナーにおいて、上記アンテナプラグが筐体の背面部の所定の位置に取り付けられている一方、上記電源プラグが上記筐体の背面部に取り付けられず、上記チューナー部と位置調整用のケーブルを介して接続されることで、上記電源プラグが上記背面部の任意の位置で上記電源差込口に差し込まれることを特徴とするテレビチューナー。
【請求項５】
ケーブルを筐体の外部に引き出す切り欠き部が上記筐体の背面部に施されていることを特徴とする請求項３または請求項４記載のテレビチューナー。
【請求項６】
チューナー部及び無線送信部と電気的に接続されていないダミーの電源プラグが筐体の背面部に取り付けられており、上記ダミーの電源プラグが他の電源差込口に差し込まれることを特徴とする請求項１から請求項５のうちのいずれか１項記載のテレビチューナー。
【請求項７】
アンテナプラグにネジ切りが施されており、ネジ切りが施されているアンテナ差込口に対して、上記アンテナプラグがネジ止めされることを特徴とする請求項１から請求項５のうちのいずれか１項記載のテレビチューナー。
【請求項８】
筐体の一部が床面又は家具の天面に接触する位置まで伸びて、上記筐体が床面又は家具の天面の上に設置されることを特徴とする請求項１から請求項５のうちのいずれか１項記載のテレビチューナー。
【請求項９】
電源差込口に差し込まれる電源プラグから電力の供給を受けて、アンテナ差込口に差し込まれるアンテナプラグから放送波の電気信号を受信し、上記放送波の電気信号から所望のチャンネルのテレビ信号を選局するチューナー部、及び上記電源プラグから電力の供給を受けて、上記チューナー部により選局されたテレビ信号を無線送信する無線送信部を有するテレビチューナーと、上記テレビチューナーにより無線送信されたテレビ信号を受信し、上記テレビ信号にしたがって映像を表示するモニタ装置とを備えた放送受信装置において、上記テレビチューナーにおける上記電源プラグ及び上記アンテナプラグが筐体の背面部に取り付けられていることを特徴とする放送受信装置。
【請求項１０】
電源差込口に差し込まれる電源プラグから電力の供給を受けて、アンテナ差込口に差し込まれるアンテナプラグから放送波の電気信号を受信し、上記放送波の電気信号から所望のチャンネルのテレビ信号を選局するチューナー部、及び上記電源プラグから電力の供給を受けて、上記チューナー部により選局されたテレビ信号を無線送信する無線送信部を有するテレビチューナーと、上記テレビチューナーにより無線送信されたテレビ信号を受信し、上記テレビ信号にしたがって映像を表示するモニタ装置とを備えた放送受信装置において、上記テレビチューナーにおける上記電源プラグが筐体の背面部の所定の位置に取り付けられている一方、上記アンテナプラグが上記筐体の背面部に取り付けられず、上記チューナー部と位置調整用のケーブルを介して接続されることで、上記アンテナプラグが上記背面部の任意の位置で上記アンテナ差込口に差し込まれることを特徴とする放送受信装置。
【請求項１１】
電源差込口に差し込まれる電源プラグから電力の供給を受けて、アンテナ差込口に差し込まれるアンテナプラグから放送波の電気信号を受信し、上記放送波の電気信号から所望のチャンネルのテレビ信号を選局するチューナー部、及び上記電源プラグから電力の供給を受けて、上記チューナー部により選局されたテレビ信号を無線送信する無線送信部を有するテレビチューナーと、上記テレビチューナーにより無線送信されたテレビ信号を受信し、上記テレビ信号にしたがって映像を表示するモニタ装置とを備えた放送受信装置において、上記テレビチューナーにおける上記アンテナプラグが筐体の背面部の所定の位置に取り付けられている一方、上記電源プラグが上記筐体の背面部に取り付けられず、上記チューナー部と位置調整用のケーブルを介して接続されることで、上記電源プラグが上記背面部の任意の位置で上記電源差込口に差し込まれることを特徴とする放送受信装置。
【発明の詳細な説明】
【技術分野】
【０００１】
この発明は、アンテナプラグから放送波の電気信号を受信して、その電気信号から所望のチャンネルのテレビ信号（映像信号、音響信号）を選局し、そのテレビ信号を映像表示用のモニタ装置に無線送信するテレビチューナーと、テレビチューナーとモニタ装置が分離している放送受信装置とに関するものである。
【背景技術】
【０００２】
近年の放送受信装置では、液晶テレビやプラズマテレビなどの薄型テレビが主流になっている。
テレビチューナーを内蔵している放送受信装置でも、ある程度の薄型化は可能であるが、更なる薄型化を図るには、放送受信装置からテレビチューナーを分離することが有効である。
この場合、放送受信装置の本体であるモニタ装置（例えば、液晶パネル等のパネル部）と、テレビチューナーとが別個に設置される。
【０００３】
テレビチューナーとモニタ装置間の接続は、ケーブルによる有線接続でも可能であるが、ケーブルによる有線接続では、ケーブルにホコリが溜まりやすく、掃除がし難い問題がある。また、美観を損なうなどの問題もある。
そこで、テレビチューナーとモニタ装置間を無線で接続し、テレビチューナーが所望のチャンネルのテレビ信号を選局すると、そのテレビ信号を無線送信して、モニタ装置がテレビチューナーから無線送信されたテレビ信号を受信する放送受信装置が開発されている（例えば、特許文献１，２を参照）。
【０００４】
このとき、テレビチューナーの筐体にアンテナプラグを取り付けることで、そのアンテナプラグを壁面のアンテナ差込口に直接差し込めるようにして、壁面のアンテナ差込口とテレビチューナーを接続するアンテナケーブルを不要にしているものが以下の特許文献３に開示されている。
しかし、テレビチューナーを駆動する電力を得るためには、コンセントの電源差込口とテレビチューナーを接続する電源ケーブルが必要である。
【先行技術文献】
【特許文献】
【０００５】
【特許文献１】特開２００１−１６０９２７号公報（段落番号［０００８］、図１）
【特許文献２】特開２００５−２８６７０９号公報（段落番号［０００６］から［０００９］、図１）
【特許文献３】特開２００５−３９３９５号公報（段落番号［００１５］、［００４６］、図６）
【発明の概要】
【発明が解決しようとする課題】
【０００６】
従来のテレビチューナーは以上のように構成されているので、アンテナプラグが壁面のアンテナ差込口に直接差し込められて、アンテナケーブルが不要になっているが、駆動用の電力を得るには電源ケーブルが必要であり、壁面との間にケーブルが残ってしまうなどの課題があった。
【０００７】
この発明は上記のような課題を解決するためになされたもので、アンテナケーブルだけでなく、電源ケーブルも不要にして、壁面に密着するように設置することができるテレビチューナーを得ることを目的とする。
【０００８】
また、この発明は、アンテナケーブルだけでなく、電源ケーブルも不要にして、壁面に密着するように設置することができるテレビチューナーとモニタ装置からなる放送受信装置を得ることを目的とする。
【課題を解決するための手段】
【０００９】
この発明に係るテレビチューナーは、電源差込口に差し込まれる電源プラグが筐体の背面部に取り付けられ、アンテナ差込口に差し込まれるアンテナプラグが筐体の背面部に取り付けられているものである。
【発明の効果】
【００１０】
この発明によれば、電源差込口に差し込まれる電源プラグが筐体の背面部に取り付けられ、アンテナ差込口に差し込まれるアンテナプラグが筐体の背面部に取り付けられているように構成したので、アンテナケーブルだけでなく、電源ケーブルも不要にして、壁面に密着するように設置することができる効果がある。
【図面の簡単な説明】
【００１１】
【図１】この発明の実施の形態１によるテレビチューナーを示す斜視図である。
【図２】家屋の壁などに取り付けられているコンセントを示す斜視図である。
【図３】この発明の実施の形態１による放送受信装置の概略構成を示す説明図である。
【図４】この発明の実施の形態１による放送受信装置のテレビチューナー及びモニタ装置の内部を示す構成図である。
【図５】この発明の実施の形態１によるテレビチューナーの取り付けを示す説明図である。
【図６】従来の一般的なテレビチューナーの設置状態を示す説明図である。
【図７】市販されている一般的なコンセントにおける電源差込口とアンテナ差込口の配置関係を示す説明図である。
【図８】各種のコンセントに対応可能なテレビチューナーを示す斜視図である。
【図９】この発明の実施の形態１による他のテレビチューナーを示す斜視図である。
【図１０】この発明の実施の形態２によるテレビチューナーを示す斜視図である。
【図１１】この発明の実施の形態３によるテレビチューナーを示す斜視図である。
【図１２】この発明の実施の形態４によるテレビチューナーを示す斜視図である。
【図１３】この発明の実施の形態５によるテレビチューナーを示す斜視図である。
【図１４】この発明の実施の形態５による他のテレビチューナーを示す斜視図である。
【図１５】この発明の実施の形態６によるテレビチューナーを示す斜視図である。
【図１６】この発明の実施の形態６によるテレビチューナーの取り付けを示す説明図である。
【図１７】この発明の実施の形態７によるテレビチューナーを示す斜視図である。
【図１８】この発明の実施の形態７によるテレビチューナーの取り付けを示す説明図である。
【図１９】この発明の実施の形態８によるテレビチューナーを示す斜視図である。
【発明を実施するための形態】
【００１２】
実施の形態１．
図１はこの発明の実施の形態１によるテレビチューナーを示す斜視図であり、図２は家屋の壁などに取り付けられているコンセントを示す斜視図である。
また、図３はこの発明の実施の形態１による放送受信装置の概略構成を示す説明図であり、図４はこの発明の実施の形態１による放送受信装置のテレビチューナー及びモニタ装置の内部を示す構成図である。
図１から図４において、コンセント１は例えば家屋の壁などに取り付けられており、電力供給用の電源差込口２と、図示せぬアンテナにより受信された放送波の電気信号を供給するためのアンテナ差込口３とを備えている。
【００１３】
テレビチューナー４は放送波の電気信号を受信して、その電気信号から所望のチャンネルのテレビ信号（映像信号、音響信号）を選局し、そのテレビ信号を映像表示用のモニタ装置１０に無線送信する装置である。
テレビチューナー４の電源プラグ６は筐体の背面部５に取り付けられており、コンセント１の電源差込口２に差し込まれて、電力を得る電源インタフェースである。
テレビチューナー４のアンテナプラグ７は筐体の背面部５に取り付けられており、コンセント１のアンテナ差込口３に差し込まれて、テレビ信号を得る信号インタフェースである。
【００１４】
テレビチューナー４のチューナー部８は電源差込口２に差し込まれる電源プラグ６から電力の供給を受けることで動作し、アンテナ差込口３に差し込まれるアンテナプラグ７から放送波の電気信号を受信し、その放送波の電気信号から所望のチャンネルのテレビ信号を選局する処理を実施する。
テレビチューナー４の無線送信部９は電源プラグ６から電力の供給を受けることで動作し、チューナー部８により選局されたテレビ信号を無線でモニタ装置１０に送信する処理を実施する。
【００１５】
モニタ装置１０は例えば液晶やプラズマなどの薄型パネルで構成されているモニタ部１２を備えている表示装置である。
モニタ装置１０の無線受信部１１はテレビチューナー４の無線送信部９から無線送信されたテレビ信号を受信する処理を実施する。
モニタ装置１０のモニタ部１２は無線受信部１１により受信されたテレビ信号の映像信号にしたがって映像を表示する処理を実施する。
モニタ装置１０の音響出力部１３はアンプやスピーカなどから構成されており、無線受信部１１により受信されたテレビ信号の音響信号によって音声などを出力する処理を実施する。
【００１６】
次に動作について説明する。
テレビ放送の受像を行う場合、図５に示すように、テレビチューナー４の電源プラグ６をコンセント１の電源差込口２に差し込み、テレビチューナー４のアンテナプラグ７をコンセント１のアンテナ差込口３に差し込むことで、テレビチューナー４が電力とテレビ信号を得ることできる状態にする。
ここでは、コンセント１における電源差込口２とアンテナ差込口３の配置関係が、テレビチューナー４における電源プラグ６とアンテナプラグ７の配置関係と一致しており、テレビチューナー４における電源プラグ６とアンテナプラグ７をコンセント１における電源差込口２とアンテナ差込口３に差し込むことができるものとする。
【００１７】
この場合、図３に示すように、テレビチューナー４とコンセント１の間に隙間ができず、ケーブルが露出しないので（従来の一般的なテレビチューナーの場合、図６に示すように、ケーブルが露出している）、ホコリがたまらず、テレビチューナー４の下方の清掃が容易となる。
【００１８】
ここで、図７は市販されている一般的なコンセントにおける電源差込口とアンテナ差込口の配置関係を示す説明図である。
電源差込口２とアンテナ差込口３の配置関係は、コンセント毎に異なっており、テレビチューナー４における電源プラグ６とアンテナプラグ７をコンセント１における電源差込口２とアンテナ差込口３に差し込むことができない場合もある。
図７に示すような一般的なコンセントの場合、電源差込口２とアンテナ差込口３の水平方向の間隔ａは一定である（水平方向の間隔ａは、例えば、４６ｍｍが一般的である）。
一方、電源差込口２とアンテナ差込口３の垂直方向の間隔ｂは、一定ではないが、上限値（約４０ｍｍ）がある。
なお、アンテナ差込口３がコンセント１と完全に離れている場合があるが、この場合は、電源差込口２とアンテナ差込口３の間隔ｃは一定でない。
【００１９】
図８は各種のコンセントに対応可能なテレビチューナー４を示す斜視図である。
図８のテレビチューナー４では、電源差込口２とアンテナ差込口３の水平方向の間隔ａが一定であるが、電源差込口２とアンテナ差込口３の垂直方向の間隔ｂが一定ではない各種のコンセント１に差し込むことができるように工夫が施されている。
即ち、図８のテレビチューナー４では、電源プラグ６及びアンテナプラグ７の水平方向の間隔をａに固定しているが、電源プラグ６及びアンテナプラグ７を垂直方向にスライド可能に筐体の背面部５に取り付けている。
【００２０】
電源プラグ６及びアンテナプラグ７の取り付け方法は特に問わないが、例えば、背面部５の垂直方向にレールを敷いて、そのレールと嵌合する部材を電源プラグ６及びアンテナプラグ７に取り付ければ、電源プラグ６及びアンテナプラグ７を垂直方向にスライドさせることができる。
これにより、電源差込口２とアンテナ差込口３の垂直方向の間隔ｂが一定ではない各種のコンセント１に対応可能なテレビチューナー４が得られる。
【００２１】
以上で明らかなように、この実施の形態１によれば、電源差込口２に差し込まれる電源プラグ６が筐体の背面部５に取り付けられ、アンテナ差込口３に差し込まれるアンテナプラグ７が筐体の背面部５に取り付けられているように構成したので、アンテナケーブルだけでなく、電源ケーブルも不要にして、壁面に取り付けられているコンセント１に密着するように設置することができる効果を奏する。
【００２２】
また、この実施の形態１によれば、電源プラグ６及びアンテナプラグ７の位置が上下にスライド自在に筐体の背面部５に取り付けられているように構成したので、電源差込口２とアンテナ差込口３の垂直方向の間隔ｂが一定ではない各種のコンセント１に対して、電源プラグ６及びアンテナプラグ７を差し込むことができる効果を奏する。
【００２３】
なお、この実施の形態１では、電源プラグ６及びアンテナプラグ７が筐体の背面部５に取り付けられているものについて示したが、図９に示すように、電源プラグ６を回転自在に背面部５に取り付けることで、電源プラグ６を回転させて、コンセント１に対して、テレビチューナー４を横向きに設置するようにしてもよい。
この場合、テレビチューナー４の高さを抑えて、コンセント１における上部の電源差込口２を空けることができる。
【００２４】
また、この実施の形態１では、１台のテレビチューナー４と１台のモニタ装置１０が無線で接続されているものについて示したが、１台のテレビチューナー４と複数台のモニタ装置１０が無線で接続されて、複数台のモニタ装置１０が１台のテレビチューナー４により無線送信されたテレビ信号を受信するようにしてもよい。
また、テレビチューナー４とモニタ装置１０が、例えば、無線ＬＡＮで接続されるような場合には、モニタ装置１０としてパソコンなどを利用することができる。
【００２５】
実施の形態２．
図１０はこの発明の実施の形態２によるテレビチューナーを示す斜視図であり、図において、図１と同一符号は同一又は相当部分を示すので説明を省略する。
電源プラグ２１は筐体の背面部５の所定の位置（図１０の例では、背面部５の右上部）に取り付けられており、コンセント１の電源差込口２に差し込まれて、電力を得る電源インタフェースである。
アンテナプラグ２２は筐体の背面部５に取り付けられず、チューナー部８と位置調整用のケーブル２３を介して接続されることで、背面部５の任意の位置でアンテナ差込口３に差し込まれて、テレビ信号を得る信号インタフェースである。
【００２６】
位置調整用のケーブル２３は一端がアンテナプラグ２２と接続され、他端がチューナー部８と接続されており、アンテナプラグ２２から得られるテレビ信号をチューナー部８に伝送するケーブルである。
なお、ケーブル２３は、ある程度の長さを有しているため、ケーブル２３を伸ばした状態では、アンテナプラグ２２が筐体の背面部５の外側に出てしまうので、ケーブル２３は、巻き取られた状態で筐体の背面部５に収納される。
【００２７】
次に動作について説明する。
テレビ放送の受像を行う場合、テレビチューナー４の電源プラグ２１をコンセント１の電源差込口２に差し込むことで、テレビチューナー４が電力を得ることできる状態にする。
また、任意の位置に調整可能なアンテナプラグ２２をコンセント１のアンテナ差込口３の位置に合わせて、そのアンテナプラグ２２をコンセント１のアンテナ差込口３に差し込むことで、テレビチューナー４がテレビ信号を得ることできる状態にする。
【００２８】
この場合も、上記実施の形態１と同様に、テレビチューナー４とコンセント１の間に隙間ができず、ケーブルが露出しないので（位置調整用のケーブル２３は筐体の背面部５に収納される）、ホコリがたまらず、テレビチューナー４の下方の清掃が容易となる。
【００２９】
以上で明らかなように、この実施の形態２によれば、電源プラグ２１が筐体の背面部５の所定の位置に取り付けられている一方、アンテナプラグ２２が筐体の背面部５に取り付けられず、チューナー部８と位置調整用のケーブル２３を介して接続されることで、アンテナプラグ２２が背面部５の任意の位置でアンテナ差込口３に差し込まれるように構成したので、アンテナケーブルや電源ケーブルを露出することなく、壁面に取り付けられているコンセント１に密着するように設置することができる効果を奏する。
【００３０】
実施の形態３．
図１１はこの発明の実施の形態３によるテレビチューナーを示す斜視図であり、図において、図１と同一符号は同一又は相当部分を示すので説明を省略する。
アンテナプラグ２４は筐体の背面部５の所定の位置（図１１の例では、背面部５の右上部）に取り付けられており、コンセント１のアンテナ差込口３に差し込まれて、テレビ信号を得る信号インタフェースである。
電源プラグ２５は筐体の背面部５に取り付けられず、チューナー部８及び無線送信部９と位置調整用のケーブル２６を介して接続されることで、背面部５の任意の位置で電源差込口２に差し込まれて、電力を得る電源インタフェースである。
【００３１】
位置調整用のケーブル２６は一端が電源プラグ２５と接続され、他端がチューナー部８及び無線送信部９と接続されており（チューナー部８と無線送信部９が、他の電源ケーブル等で接続されている場合には、ケーブル２６の他端は、チューナー部８のみと接続され、無線送信部９とは接続されない）、電源プラグ２５から得られる電力をチューナー部８及び無線送信部９に供給するためのケーブルである。
なお、ケーブル２６は、ある程度の長さを有しているため、ケーブル２６を伸ばした状態では、電源プラグ２５が筐体の背面部５の外側に出てしまうので、ケーブル２６は、巻き取られた状態で筐体の背面部５に収納される。
【００３２】
次に動作について説明する。
テレビ放送の受像を行う場合、テレビチューナー４のアンテナプラグ２４をコンセント１のアンテナ差込口３に差し込むことで、テレビチューナー４がテレビ信号を得ることできる状態にする。
また、任意の位置に調整可能な電源プラグ２５をコンセント１の電源差込口２の位置に合わせて、その電源プラグ２５をコンセント１の電源差込口２に差し込むことで、テレビチューナー４が電力を得ることできる状態にする。
【００３３】
この場合も、上記実施の形態１と同様に、テレビチューナー４とコンセント１の間に隙間ができず、ケーブルが露出しないので（位置調整用のケーブル２６は筐体の背面部５に収納される）、ホコリがたまらず、テレビチューナー４の下方の清掃が容易となる。
【００３４】
以上で明らかなように、この実施の形態３によれば、アンテナプラグ２４が筐体の背面部５の所定の位置に取り付けられている一方、電源プラグ２５が筐体の背面部５に取り付けられず、チューナー部８と位置調整用のケーブル２６を介して接続されることで、電源プラグ２５が背面部５の任意の位置で電源差込口２に差し込まれるように構成したので、アンテナケーブルや電源ケーブルを露出することなく、壁面に取り付けられているコンセント１に密着するように設置することができる効果を奏する。
【００３５】
実施の形態４．
上記実施の形態２では、アンテナプラグ２２が背面部５の任意の位置で、アンテナ差込口３に差し込まれるものについて示したが、図７の右図に示すように、アンテナ差込口３がコンセント１と完全に離れている場合、電源プラグ２１を電源差込口２に差し込んだ状態で、アンテナプラグ２２をアンテナ差込口３に差し込むことができない。
【００３６】
そこで、この実施の形態４では、図１２に示すように、位置調整用のケーブル２３を筐体の外部に引き出す切り欠き部５ａを筐体の背面部５に施すことで、アンテナ差込口３がコンセント１と完全に離れている場合でも、電源プラグ２１を電源差込口２に差し込んだ状態で、アンテナプラグ２２をアンテナ差込口３に差し込むことができるようにしている。
【００３７】
実施の形態５．
上記実施の形態３では、電源プラグ２５が背面部５の任意の位置で、電源差込口２に差し込まれるものについて示したが、図７の右図に示すように、アンテナ差込口３がコンセント１と完全に離れている場合、電源プラグ２５を電源差込口２に差し込んだ状態で、アンテナプラグ２４をアンテナ差込口３に差し込むことができない。
【００３８】
そこで、この実施の形態５では、図１３に示すように、位置調整用のケーブル２６を筐体の外部に引き出す切り欠き部５ａを筐体の背面部５に施すことで、アンテナ差込口３がコンセント１と完全に離れている場合でも、電源プラグ２５を電源差込口２に差し込んだ状態で、アンテナプラグ２４をアンテナ差込口３に差し込むことができるようにしている。
【００３９】
上記実施の形態４，５では、電源プラグ２１又はアンテナプラグ２４が所定の位置に取り付けられているものについて示したが、電源プラグ２１又はアンテナプラグ２４を上下にスライド自在に取り付けるようにしてもよい。
図１４の例では、アンテナプラグ２４が上下にスライド自在に取り付けられているものを示している。
【００４０】
実施の形態６．
図１５はこの発明の実施の形態６によるテレビチューナーを示す斜視図であり、図において、図１０と同一符号は同一又は相当部分を示すので説明を省略する。
ダミー電源プラグ３１はチューナー部８及び無線送信部９と電気的に接続されていないダミーの電源プラグであり、筐体の背面部５に取り付けられている。
【００４１】
上記実施の形態２，４では、電源プラグ２１がコンセント１の電源差込口２に差し込まれることで、テレビチューナー４を支えているが（図１０及び図１２を参照）、電源プラグ２１の一点だけでテレビチューナー４を支える構造では、安定的でなく、ガタツキが発生する可能性がある。
そこで、この実施の形態５では、ダミー電源プラグ３１を筐体の背面部５に取り付けて、ダミー電源プラグ３１をコンセント１の電源差込口２（図２の例では、下側の電源差込口２）に差し込むようにする。
【００４２】
これにより、図１６に示すように、電源プラグ２１がコンセント１の電源差込口２に差し込まれると同時に、ダミー電源プラグ３１がコンセント１の電源差込口２に差し込まれて、電源プラグ２１及びダミー電源プラグ３１の二点でテレビチューナー４を支える構造となるため、安定的になり、ガタツキの発生や脱落を防止することができる。
【００４３】
この実施の形態６では、上記実施の形態２，４のテレビチューナー４にダミー電源プラグ３１を設けるものについて示したが、上記実施の形態１，３，５のテレビチューナー４（例えば、図１、図８、図９、図１１、図１３及び図１４のテレビチューナー４）にダミー電源プラグ３１を設けるようにしてもよい。
この場合も、安定的にテレビチューナー４を支えることが可能になり、ガタツキの発生や脱落を防止することができる。
【００４４】
実施の形態７．
図１７はこの発明の実施の形態７によるテレビチューナーを示す斜視図であり、図において、図１１と同一符号は同一又は相当部分を示すので説明を省略する。
アンテナプラグ２７は図１１のアンテナプラグ２４と同様に、筐体の背面部５の所定の位置（図１７の例では、背面部５の右上部）に取り付けられており、コンセント１のアンテナ差込口３に差し込まれて、テレビ信号を得る信号インタフェースである。
ただし、アンテナプラグ２７は図１１のアンテナプラグ２４と異なり、表面にネジ２７ａが切られている。
【００４５】
上記実施の形態６では、ダミー電源プラグ３１をコンセント１の電源差込口２に差し込むことで、テレビチューナー４を安定的に支えるものについて示したが、図１８に示すように、ネジ３ａが切られているアンテナ差込口３に対して、ネジ２７ａが切られているアンテナプラグ２７をネジ止めすることで、固定するようにしてもよい。
この場合も、安定的にテレビチューナー４を支えることが可能になり、ガタツキの発生や脱落を防止することができる。
【００４６】
この実施の形態６では、図１１のテレビチューナー４におけるアンテナプラグにネジを切っているものについて示したが、他のテレビチューナー４（例えば、図１、図８、図９、図１２、図１３及び図１４のテレビチューナー４）におけるアンテナプラグにネジを切って、ネジ止めするようにしてもよい。
この場合も、安定的にテレビチューナー４を支えることが可能になり、ガタツキの発生や脱落を防止することができる。
【００４７】
実施の形態８．
図１９はこの発明の実施の形態８によるテレビチューナーを示す斜視図である。
図１９において、スライド箱３２はテレビチューナー４の筐体を包むように、その筐体に対してスライド自在に設けられている箱であり、テレビチューナー４の筐体の一部を構成している。
【００４８】
上記実施の形態６では、ダミー電源プラグ３１をコンセント１の電源差込口２に差し込むことで、テレビチューナー４を安定的に支えるものについて示したが、図１９に示すように、テレビチューナー４の筐体の一部を構成するスライド箱３２を図中下方向に伸ばして、テレビチューナー４を床面又は家具の天面の上に設置されるようにしてもよい。
この場合も、安定的にテレビチューナー４を支えることが可能になり、ガタツキの発生や脱落を防止することができる。
【符号の説明】
【００４９】
１  コンセント、２  電源差込口、３  アンテナ差込口、３ａ  ネジ、４  テレビチューナー、５  筐体の背面部、５ａ  切り欠き部、６  電源プラグ、７  アンテナプラグ、８  チューナー部、９  無線送信部、１０  モニタ装置、１１  無線受信部、１２  モニタ部、１３  音響出力部、２１  電源プラグ、２２  アンテナプラグ、２３  位置調整用のケーブル、２４  アンテナプラグ、２５  電源プラグ、２６  位置調整用のケーブル、２７  アンテナプラグ、２７ａ  ネジ、３１  ダミー電源プラグ、３２  スライド箱。
【図１】
2011019100.tif 000003
【図２】
2011019100.tif 000004
【図３】
2011019100.tif 000005
【図４】
2011019100.tif 000006
【図５】
2011019100.tif 000007
【図６】
2011019100.tif 000008
【図７】
2011019100.tif 000009
【図８】
2011019100.tif 000010
【図９】
2011019100.tif 000011
【図１０】
2011019100.tif 000012
【図１１】
2011019100.tif 000013
【図１２】
2011019100.tif 000014
【図１３】
2011019100.tif 000015
【図１４】
2011019100.tif 000016
【図１５】
2011019100.tif 000017
【図１６】
2011019100.tif 000018
【図１７】
2011019100.tif 000019
【図１８】
2011019100.tif 000020
【図１９】
2011019100.tif 000021